(57)【要約】【課題】重量のアンバランスを解消させつつ、昇降路内レイアウトの自由度を向上させ得るコンペンチェーン装置を提案する。【解決手段】乗りかごと釣合い錘とをつるべ式に昇降するエレベータ装置の乗りかごと釣合い錘とに各々取り付けられるコンペンチェーン装置において、コンペンチェーン装置は、乗りかご側チェーンと、釣合い錘側チェーンとを備え、乗りかご側チェーンは、一端が乗りかご下部に接続されることにより乗りかご下部から垂下され、他端は昇降路内において上向きとなるように設置されるとともに昇降方向に所定距離だけ移動可能に設置され、釣合い錘側チェーンは、一端が釣合い錘下部に接続されることにより釣合い錘下部から垂下され、他端は昇降路内において上向きとなるように設置されるとともに昇降方向に所定距離だけ移動可能に設置されることを特徴とするコンペンチェーン装置。【選択図】図１
2015013713.tif 000002
【特許請求の範囲】
【請求項１】
乗りかごと釣合い錘とをつるべ式に昇降するエレベータ装置の前記乗りかごと前記釣合い錘とに各々取り付けられるコンペンチェーン装置において、
前記コンペンチェーン装置は、
乗りかご側チェーンと、釣合い錘側チェーンとを備え、
前記乗りかご側チェーンは、
一端が前記乗りかご下部に接続されることにより前記乗りかご下部から垂下され、他端は昇降路内において上向きとなるように設置されるとともに昇降方向に所定距離だけ移動可能に設置され、
前記釣合い錘側チェーンは、
一端が前記釣合い錘下部に接続されることにより前記釣合い錘下部から垂下され、他端は昇降路内において上向きとなるように設置されるとともに昇降方向に所定距離だけ移動可能に設置される
ことを特徴とするコンペンチェーン装置。
【請求項２】
乗りかご側チューブと、釣合い錘側チューブとを備え、
前記乗りかご側チューブは、
前記乗りかご側チェーンを覆うように設置され、
前記乗りかご側チェーンは、
前記乗りかご側チューブ内を通って、一端が前記乗りかご下部に接続され、他端が前記乗りかごの昇降にともなって昇降方向に所定距離だけ移動し、
前記釣合い錘側チューブは、
前記釣合い錘側チェーンを覆うように設置され、
前記釣合い錘側チェーンは、
前記釣合い錘側チューブ内を通って、一端が前記釣合い錘下部に接続され、他端が前記釣合い錘の昇降にともなって昇降方向に所定距離だけ移動する
ことを特徴とする請求項１に記載のコンペンチェーン装置。
【請求項３】
前記乗りかご側チューブは、
一端が前記乗りかごの昇降にともなって伸縮し、他端が昇降路内において上向きとなるように設置されるとともに昇降方向に延在して設置され、
前記釣合い錘側チューブは、
一端が前記釣合い錘の昇降にともなって伸縮し、他端が昇降路内において上向きとなるように設置されるとともに昇降方向に延在して設置される
ことを特徴とする請求項２に記載のコンペンチェーン装置。
【請求項４】
乗りかごと釣合い錘とをつるべ式に昇降するエレベータ装置において、
前記乗りかごと前記釣合い錘とに各々取り付けられるコンペンチェーン装置を備え、
前記コンペンチェーン装置は、
乗りかご側チェーンと、釣合い錘側チェーンとを備え、
前記乗りかご側チェーンは、
一端が前記乗りかご下部に接続されることにより前記乗りかご下部から垂下され、他端は昇降路内において上向きとなるように設置されるとともに昇降方向に所定距離だけ移動可能に設置され、
前記釣合い錘側チェーンは、
一端が前記釣合い錘下部に接続されることにより前記釣合い錘下部から垂下され、他端は昇降路内において上向きとなるように設置されるとともに昇降方向に所定距離だけ移動可能に設置される
ことを特徴とするエレベータ装置。
【発明の詳細な説明】
【技術分野】
【０００１】
本発明は、コンペンチェーン装置及びエレベータ装置に関する。
【背景技術】
【０００２】
一般にエレベータ装置は、機械室又は昇降路内に設置した巻上機のシーブにロープを巻き掛けて、シーブとロープとの間の摩擦力により乗りかごを昇降させるように構成される。
【０００３】
シーブを基点として乗りかご側と釣合い錘側とに分け、乗りかご側及び釣合い錘側のそれぞれの重量について考察すると、乗りかごが最下階付近に位置する場合、ロープの重量が乗りかご側に多くかかり、逆に釣合い錘が最下階付近に位置する場合、ロープの重量が釣合い錘側に多くかかる。このように乗りかご及び釣合い錘の昇降に伴って、ロープの重量が乗りかご側と釣合い錘側とにアンバランスに加わることになる。
【０００４】
この重量のアンバランスを補償（解消）するために、コンペンチェーン装置がしばしば用いられる。コンペンチェーン装置は主として一本のチェーンから構成され、チェーンの一端を乗りかご下部に接続してチェーンが乗りかご下部から垂れ下がるように設置し、一方でチェーンの他端を釣合い錘の下部に接続してチェーンが釣合い錘下部から垂れ下がるように設置して構成される。
【０００５】
ここで特許文献１には、チェーンの揺れを減少させることを目的として、乗りかご下部にチェーンの一端を接続するとともに、他端を昇降路壁に接続し、一方で釣合い錘下部に別のチェーンの一端を接続するとともに、他端を昇降路壁に接続して構成されるコンペンチェーン装置が開示されている。
【０００６】
また特許文献２には、チェーンの腐食防止、耐久性及び信頼性の向上を目的として、チェーンを管で被覆するコンペンチェーン装置が開示されている。
【先行技術文献】
【特許文献】
【０００７】
【特許文献１】特開平７−１８７５４３号公報
【特許文献２】特開２０００−３４０７４号公報
【発明の概要】
【発明が解決しようとする課題】
【０００８】
しかし、特許文献１に記載のコンペンチェーン装置は、チェーンの揺れを減少させることを目的として構成されたものであり、また特許文献２に記載のコンペンチェーン装置は、チェーンの腐食防止等を目的として構成されたものである。従ってコンペンチェーン装置として重量のアンバランスを解消させるための工夫が充分であるとは言えない。
【０００９】
また従来ある一般的なコンペンチェーン装置は、チェーンの一端を乗りかごに垂下し、もう一端を釣合い錘に垂下するものである。従ってコンペンチェーン装置の構造上、乗りかごと釣合い錘とが常にチェーンでつながった状態となるため、昇降路内の機器配置においてレイアウト上の制約を受けるという課題がある。
【００１０】
本発明は以上の点を考慮してなされたもので、重量のアンバランスを解消させつつ、昇降路内のレイアウトの自由度を向上させ得るコンペンチェーン装置を提案するものである。
【課題を解決するための手段】
【００１１】
かかる課題を解決するために、本発明におけるコンペンチェーン装置は、乗りかごと釣合い錘とをつるべ式に昇降するエレベータ装置の乗りかごと釣合い錘とに各々取り付けられ、コンペンチェーン装置は、乗りかご側チェーンと、釣合い錘側チェーンとを備え、乗りかご側チェーンは、一端が乗りかご下部に接続されることにより乗りかご下部から垂下され、他端は昇降路内において上向きとなるように設置されるとともに昇降方向に所定距離だけ移動可能に設置され、釣合い錘側チェーンは、一端が釣合い錘下部に接続されることにより釣合い錘下部から垂下され、他端は昇降路内において上向きとなるように設置されるとともに昇降方向に所定距離だけ移動可能に設置されることを特徴とする。
【００１２】
またかかる課題を解決するために、本発明におけるエレベータ装置は、乗りかごと釣合い錘とをつるべ式に昇降するエレベータ装置であって、乗りかごと釣合い錘とに各々取り付けられるコンペンチェーン装置を備え、コンペンチェーン装置は、乗りかご側チェーンと、釣合い錘側チェーンとを備え、乗りかご側チェーンは、一端が乗りかご下部に接続されることにより乗りかご下部から垂下され、他端は昇降路内において上向きとなるように設置されるとともに昇降方向に所定距離だけ移動可能に設置され、釣合い錘側チェーンは、一端が釣合い錘下部に接続されることにより釣合い錘下部から垂下され、他端は昇降路内において上向きとなるように設置されるとともに昇降方向に所定距離だけ移動可能に設置されることを特徴とする。
【発明の効果】
【００１３】
本発明によれば、重量のアンバランスを解消させつつ、昇降路内のレイアウトの自由度を向上させることができる。
【図面の簡単な説明】
【００１４】
【図１】本実施の形態におけるエレベータ装置の全体構成図である。
【図２】本実施の形態におけるコンペンチェーン装置の原理構成図である。
【発明を実施するための形態】
【００１５】
図１は、本実施の形態におけるエレベータ装置１００の全体構成を示す。
まずエレベータ装置１００の一般的な動作について説明する。エレベータ装置１００は、巻上機モータ５の動力により、巻上機シーブ６及びプーリ７を介して主ロープ４を摩擦駆動し、この主ロープ４に吊り下がっている乗りかご１を乗りかご用ガイドレール３に沿って乗りかご側ガイド装置２で案内しながら昇降するように動作する。
【００１６】
またエレベータ装置１００は、巻上機シーブ６を基準とした場合に乗りかご１側とは逆側において、巻上機シーブ６及びプーリ７を介して主ロープ４に吊り下がっている釣合い錘１０を釣合い錘用ガイドレール８に沿って釣合い錘側ガイド装置９で案内しながら昇降するように動作する。
【００１７】
なお図１においては、巻上機シーブ６が昇降路内下部にある２：１ローピングの場合を図示しているが、これに限らず、例えば１：１ローピングなどのような他のローピング構成の場合であっても、また巻上機シーブ６が上部に設置してある場合であってもよい。
【００１８】
次いで本実施の形態におけるコンペンチェーン装置について説明する。コンペンチェーン装置は、巻上機シーブ６を基準として、乗りかご１側に固定金具１２、チューブ１３及び乗りかご側チェーン１４を備え、釣合い錘１０側に固定金具１５、チューブ１６及び釣合い錘側チェーン１７を備えて構成される。
【００１９】
乗りかご１側においては、乗りかご側チェーン１４の一端が乗りかご１に垂下され、他端は昇降路内にブラケットなどの固定金具１２を用いて固定されたチューブ１３内を通って昇降路内の上方に向けて配設される。そして乗りかご側チェーン１４の他端側は固定されていないので乗りかご側チェーン１４はチューブ１３内を移動することができる。一方釣合い錘１０側についても、釣合い錘側チェーン１７の一端が釣合い錘１０に垂下され、他端は昇降路内にブラケットなどの固定金具１５を用いて固定されたチューブ１６内を通って昇降路内の上方に向けて配設される。そして乗りかご側チェーン１４と同様に釣合い錘側チェーン１７の他端側は固定されていないので釣合い錘側チェーン１７はチューブ１６内を移動することができる。
【００２０】
図２は、本実施の形態におけるコンペンチェーン装置の原理構成を示す。なおここでは釣合い錘１０側について説明するが、原理は乗りかご１側についても同様である。またここでは乗りかご１が最上階付近に位置し、釣合い錘１０が最下階付近に位置する場合における釣合い錘側チェーン１７について説明する。
【００２１】
釣合い錘側チェーン１７は、チューブ１６内に配設されることにより、図２において横方向の動きが拘束されるので、チェーンの一部１８の自重分がチェーン１７の長手方向に加わり釣合い錘１０を押し上げる方向に働く。この押上げる力が働く原理はチューブ内に入れられた水の水面高さが異なる位置にあった場合、低いほうの水面上にあるものを押し上げようとするのと同様の原理である。そのため、釣合い錘１０が最下階付近に位置する場合に主ロープ４の重量により生じる乗りかご側と釣合い錘側との間でアンバランスとなった重量の一部を相殺して、重量のアンバランスを解消することができる。
【００２２】
またチューブ１６の伸縮部１９は、乗りかご１や釣合い錘１０の昇降に伴って伸縮する。よって乗りかご１や釣合い錘１０の昇降にともなって、釣合い錘側チェーン１７に加わる圧縮荷重を釣合い錘側チェーン１７の長手方向に伝えて、釣合い錘１０を押し上げることができる。
【００２３】
以上のように本実施の形態によるコンペンチェーン装置によれば、従来のように乗りかご側と釣合い錘側とで垂下させた上で連結していたコンペンチェーンを、乗りかご側と釣合い錘側とに分割して設置するようにしたので、乗りかごと釣合い錘とがそれぞれ互いに配置上の影響を受けず、昇降路内の機器配置の自由度を向上させるとともに、コンペンチェーンによる引っ掛かり、絡まり又は騒音を減少させることができる。
【００２４】
またコンペンチェーンをチューブ内に通し、そのチューブを昇降路内において下方から上方に向けて設置して固定するようにしたので、チューブでコンペンチェーンの横方向への動きを拘束し、昇降路内に固定したチューブの中でコンペンチェーンの自重分を圧縮荷重としてコンペンチェーンの長手方向に伝え、乗りかご側と釣合い錘側との間で生じる重量のアンバランスの一部を相殺して、重量のアンバランスを解消することができる。
【００２５】
またコンペンチェーンの自重分を圧縮荷重としてコンペンチェーンの長手方向に伝えるようにしたので、コンペンチェーンの質量を従来よりも軽くした場合であっても、重量のアンバランスを解消することができる。よってコストを削減することができる。
【００２６】
またコンペンチェーンの質量を軽くしながら、重量のアンバランスを解消するようにすれば、トラクション能力を向上させ、モータ容量を減らしてエレベータ装置１００内の各機器を小型化することができる。
【符号の説明】
【００２７】
１    乗りかご
２    乗りかご側ガイド装置
３    乗りかご用ガイドレール
４    主ロープ
５    巻上機
６    綱車
７    プーリ
８    釣合い錘用ガイドレール
９    釣合い錘側ガイド装置
１０  釣合い錘
１１  昇降路壁
１２  乗りかご側ブラケット
１３  乗りかご側チューブ
１４  乗りかご側チェーン
１５  釣合い錘側ブラケット
１６  釣合い錘側チューブ
１７  釣合い錘側チェーン
１８  釣合い錘側チェーンの一部
１９  釣合い錘側チューブ伸縮部
【図１】
2015013713.tif 000003
【図２】
2015013713.tif 000004